(57)【要約】本発明は、枚葉紙を加工処理する印刷機、特に枚葉紙オフセット印刷機の導電性の胴の表面上に枚葉紙を固定するための装置であって、胴の幅にわたり延在する電極を有して、この電極の間を通して前記胴の表面上に存在する印刷枚葉紙を送り込むことができるように構成された装置に関するものである。本発明の課題は、簡易かつ印刷品質を向上する確実な枚葉紙の案内が保証されるように斯かる装置を改善することにある。この課題は、本発明により、流れる空気を胴ＧＤの表面上に載っている枚葉紙上に作用させる装置３，５，６，７，８が、枚葉紙走行方向上流側において電極２に対して設けられることで解決される。
2004504192.tif 000002
【特許請求の範囲】
【請求項１】
枚葉紙を加工処理する印刷機、特に枚葉紙オフセット印刷機の導電性の胴の表面上に枚葉紙を固定するための装置であって、胴の幅にわたり延在する電極を有して、この電極の間を通して前記胴の表面上に存在する印刷枚葉紙を送り込むことができるように構成された装置において、
流れる空気を前記胴（ＧＤ）の表面上に載っている前記枚葉紙の上に作用させる装置（３，５，６，７，８）が、前記電極（２）の枚葉紙走行方向上流側に設けられていることを特徴とする装置。
【請求項２】
請求項１に記載の装置において、
前記電極（２）の枚葉紙走行方向上流側に設けられた装置は、圧搾空気を付与できかつ空気流出開口部を備えた送風管（３）とされていることを特徴とする装置。
【請求項３】
請求項１または請求項２に記載の装置において、
流れる空気を前記胴（ＧＤ）の表面上に載っている前記枚葉紙の上に作用させる装置（３，５，６，７，８）が、同様に、枚葉紙走行方向下流側に設けられるようにして前記電極（２）に対して配設されていることを特徴とする装置。
【請求項４】
請求項１から請求項３のいずれか１項に記載の装置において、
空洞部として形成されかつ圧搾空気を付与できる送風ボックス（５）が、前記電極（２）に対して前置されていることを特徴とする装置。
【請求項５】
請求項４に記載の装置において、
前記送風ボックス（５）は、前記胴（ＧＤ）の表面に対して凹形に延びる曲面を備え、この表面に複数の空気流出開口部がちりばめられて形成されていることを特徴とする装置。
【請求項６】
請求項１から請求項５のいずれか１項に記載の装置において、
前記電極（２）は、圧搾空気を付与できる空洞部（６）の溝状部分の中に収納され、該空洞部（６）が空気流出開口部を備えていることを特徴とする装置。
【請求項７】
請求項６に記載の装置において、
前記空洞部（７）は、前記胴（ＧＤ）の表面に対して凹形に延びる曲面を備え、この表面に複数の空気流出開口部がちりばめられて形成されていることを特徴とする装置。
【請求項８】
請求項１から請求項７のいずれか１項に記載の装置において、
前記電極（２）は、圧搾空気を付与できかつ空気流出開口部を備えた空洞本体（８）の溝状部分の中に送風管（３）とともに挿入されていることを特徴とする装置。
【発明の詳細な説明】
【０００１】
【発明の属する技術分野】
本発明は、請求項１の前提部分おいて書き部に記載の枚葉紙を案内するための装置に関する。
【０００２】
【従来の技術】
枚葉紙オフセット印刷機の場合、印刷対象の枚葉紙は、くわえ部を備える胴を介して、ゴムブランケット胴と対向圧胴との間に形成される印刷間隙を通して搬送される。印刷装置同志の間でも、くわえ装置を有する胴ないしドラムによって枚葉紙の移送が行なわれる。枚葉紙を出来るだけバタつかせたりはためかせたりしないようにして胴ないしドラム上に導くため、印刷機の複数箇所に枚葉紙案内装置が設けられており、これらの枚葉紙案内装置が吹付け空気および／または吸引空気によって枚葉紙を胴表面もしくは枚葉紙案内部に用いるプレート上に導く。
【０００３】
支障のない印刷にとって重要なのは、印刷間隙（対向圧胴とゴムブランケット胴との間）に入って行く枚葉紙が胴の上で正確に位置決めされて載置され、この位置が印刷間隙の通過中でも二度と変化しないことである。この目的のために、吹付け空気によって操作可能な複数の枚葉紙案内装置が作製されてきた。これらの枚葉紙案内装置においては、枚葉紙は、吹付け空気によって対向圧胴の胴表面上に押し付けられる。しかしながら、この種の枚葉紙案内装置における問題は、送風フィンガとして形成された枚葉紙案内部の一部が対向圧胴とゴムブランケット胴との間の間隙に向かって十分入っていくことが出来ないという点にある。そのため、吹付け空気の噴射は、所望の効果（枚葉紙の固定）を得られるようにするために、その向き付けや強さの点において互いに極めて正確に調整されていなければならない。さらに、欠点として見なすべきものとして、まさしく薄い枚葉紙の場合に、増加する吹付け圧とともにバタつきやすさが一般に増えるということがある。
【０００４】
然るべき印刷装置内でゴムブランケット胴が対向圧胴から離間されているような場合、つまり、対向圧胴上にある枚葉紙がゴムブランケット胴に対して接触することなく対応する間隙をぬって送り込まれなければならない場合に、さらなる困難が生じる。上流側の印刷装置で印刷された枚葉紙をゴムブランケット胴の表面に打ち付けたりすることは絶対に避けなければならない。というのも、この種の印刷汚れは印刷損紙の原因となるからである。
【０００５】
独国特許発明第１９７１５９６４号明細書から、枚葉紙を対向圧胴上に固定する送風装置が公知となっている。この装置は、間欠的に操作される吹付け空気に対して用いられ、要するに、枚葉紙が通過する間だけ吹付け空気の供給が行なわれる。
【０００６】
胴の上ないしその他の下敷き上にある枚葉紙を静電気的な力でその枚葉紙自身の位置に固定することが知られている。この種の静電気的装置は、欧州特許第０７３７５７２号明細書の場合、付加的な印刷装置（レーザプリンタないしインクジェットプリンタ）によって印刷する目的で、胴の上に存在する枚葉紙を保持するのに用いられる。
【０００７】
さらに米国特許第３１７４７４８号明細書から、対向圧胴とゴムブランケット胴との間の印刷間隙の部分における静電気的枚葉紙保持装置が公知となっている。この場合の対応する装置は、最大版型幅にわたり延在するように棒状に形成されている。したがって、枚葉紙は、印刷間隙の中に入って行く前に、棒状の電極と対向圧胴の表面との間に形成される隙間を通過する。
【０００８】
静電気的な装置の場合には、枚葉紙をその枚葉紙自身の位置ないし姿勢に固定する力は、電気的に絶縁する枚葉紙材料が電場ならびに電荷分極と一緒になって発生する。このとき、対向圧胴上に載っている枚葉紙表面には、電場ならびにそれによる静電気的な力を枚葉紙と圧胴との間に生じさせる帯電が発生する。
【０００９】
この種の静電気的な枚葉紙案内装置における欠点は、胴の上に既に落ち着かせられた枚葉紙（静かに載っている枚葉紙）しかこの装置によって固定することができない点にある。しかも、ゴムブランケット胴と対向圧胴との間のペンデンティブ（Ｚｗｉｃｋｅｌ）における電極の任意の配置をできないようにするのに、特定の幾何学的条件を維持しなければならない。
【００１０】
【発明が解決しようとする課題】
したがって、本発明の課題は、上述した欠点を回避しながら、簡易かつ印刷品質を向上する確実な枚葉紙の案内を保証するように請求項１の前提部分おいて書き部に記載の装置を改善することにある。
【００１１】
【課題を解決するための手段】
この課題は、請求項１に記載の特徴部分の構成によって解決される。本発明の発展態様は、下位請求項から与えられる。
【００１２】
本発明により、空気圧式の枚葉紙案内装置が静電的な装置によって拡張装備される。本発明による枚葉紙案内装置による吹付け空気ないし送風を用いることによって、枚葉紙が胴の上に押し付けられ、静められる。これにより、このように静められた枚葉紙が静電気的な力によって枚葉紙自身の位置に持続的に固定されるようになる。このため、静電気的な装置は、吹付け空気によって動かされる空気圧式の枚葉紙案内装置に対して、印刷枚葉紙の移動方向に関して下流側に設けられている。
【００１３】
枚葉紙は、本発明により、印刷間隙に入って行く前に電極によって帯電する。この電極は、したがって、接地された対向圧胴に対して僅かな間隔（１０〜４０ｍｍ）を置いて設けられている。単極型の電極（もしくは電極先端）と胴（胴表面）との間にできる電場と電極先端側の高電圧とによって、電極に臨ませられた枚葉紙材料の表面上に、過剰な電荷が生成される（電極の帯電に応じて正ないし負）。枚葉紙材料の絶縁特性によって、電気的に中性な胴（胴表面）との瞬時の均一化が避けられる。こうして、電荷が与えられた枚葉紙表面と中性の胴との間に、保持力を作用させる電場が生じる。電荷の不均衡（分極）が失われるのにかかる時間と胴上における枚葉紙の滞在時間とが似通っているため、枚葉紙がもはや電極の下に直に存在しないときでもそのまま帯電が維持され続けることになる。傾向としては、このとき、高抵抗の枚葉紙材料であればあるほど一層良好な付着作用が示される。
【００１４】
枚葉紙が極めて強い静電力で胴（対向圧胴）の表面側に固定される前に、枚葉紙搬送方向に前置された送風装置ないし吹付け装置によって、枚葉紙の位置決めと平坦均しが行なわれる。本発明の好ましい実施形態によれば、このとき、上記電極は、この送風装置内に組み込まれている。
【００１５】
本発明による枚葉紙案内装置を用いることによって、枚葉紙は、先ず送風装置を通過し、そして胴（対向圧胴）の表面側に押し付けられ、なだらかに均される。送風装置のそれほど強くない力を用いることで、枚葉紙は、枚葉紙が自身の最終的かつ静電気的装置により固定すべき位置に来るまで、僅かな位置修正を行なうことができる。
【００１６】
静電気的な装置に前置された送風装置もしくはこの送風装置の一部は、内部に静電気的な装置が組み込まれており、好ましくは、胴の表面の方を向く凹形の輪郭形状を有して、この輪郭形状に空気流出開口部が設けられている。こうして、個々の吹付け流は集束され、凹形曲面の然るべき傾きによって若干斜めになって胴表面に対して当たり、したがって、枚葉紙に当たることになる。これにより、枚葉紙はしわが伸ばされ、さらに、集束によって枚葉紙は胴に対して押さえられる。
【００１７】
静電気的な電極の直ぐ近くには導電性の材料を用いることが許されないので、電極を収納する本発明による送風装置の一部は、少なくとも、好ましくはプラスチックといったような電気を通さない材料から形成されている。
【００１８】
本発明によれば、様々な実施形態が可能である。ロッドないし棒として形成された電極は、一実施形態により、管として形成された二つの送風装置に取り囲まれていてもよい。そして、この電極に対して、さらに追加で凹形の空気流出面を有する送風ボックスとしての三番目のものが枚葉紙走行方向上流側に設けられている。
【００１９】
他の実施形態によれば、ロッドないし棒として形成された電極がプラスチック製の空洞部内に囲まれているように構成することができる。このプラスチック製空洞部は、圧搾空気を付与させることができ、空気流出開口部を備えている。したがって、上述の実施形態の場合のように、棒状の電極の上流側と下流側に同じように空気が流出することになる。
【００２０】
本発明のさらなる実施形態は、空洞部として一体式に形成された送風ボックスの構成とされ、この送風ボックスが、枚葉紙を案内する胴に臨ませた状態でロッド状ないし棒状の電極を収納している。この場合も、電極に前置される部分が空気流出面を有する凹面によって形成されていることが好ましい。
【００２１】
本発明のさらなる他の実施形態は、ボックスとして形成された胴送風装置ないし胴吹付け装置が、電極ならびにこの電極を側方において側面保護する送風管を収納する構成とされている。
【００２２】
最後に、本発明の次のような一実施形態も可能である。すなわち、ロッドないし棒として形成された電極が単に二つの送風管だけで取り囲まれ、これにより、電極に対して枚葉紙走行方向上流側および下流側において、胴上に存在する枚葉紙に空気を供給することができるというものである。
【００２３】
【発明の実施の形態】
以下、本発明の実施形態を図面に基づき詳述する。
【００２４】
図５は、対向圧胴ＧＤとゴムブランケット胴ＧＴとを有する枚葉紙オフセット印刷機の印刷装置の一部を示している。対向圧胴ＧＤの表面上には、図１から図５には示されていない印刷枚葉紙が存在している。
【００２５】
上記対向圧胴ＧＤの幅にわたって支持部１が延在しており、この支持部に、ロッドないし棒として形成された電極２が、印刷枚葉紙を受け取る対向圧胴ＧＤの表面に向けられた状態で装着されている。対向圧胴ＧＤ上の枚葉紙の走行方向に関して電極２の上流側に送風管３が設けられ、第二の送風管４が下流側に設けられている。これらの送風管３，４は、対向圧胴ＧＤに臨む側に、図５に示されているような空気流出開口部を備え、これにより、送風管３，４の内部空間に圧搾空気を供給することで流出ができるようになっている。
【００２６】
対向圧胴ＧＤの表面上にある印刷枚葉紙は、送風管３が生じさせる空気流（矢印）によって対向圧胴ＧＤの表面上に押し付けられ、そしてそのとき同時に、枚葉紙自身の移動方向に向かって胴の上に撫で付けられる。電極２と対向圧胴ＧＤの表面との間の電気的な場の強さが、電極２から出ている細い線によって表されている。送風管４に圧搾空気を供給することと、送風管４に設けられた流出開口部とによって、電極２に後置されるように相応の空気流が発生し、この空気流が、対向圧胴ＧＤの表面に枚葉紙をさらに押し付ける作用を及ぼす。
【００２７】
図１による本発明の実施形態において、図５に示された装置に付け加えてさらに、空洞部として形成された送風ボックス５が前置されている。圧胴送風装置ないし圧胴吹付け装置としての上記送風ボックス５は、電極２および二つの送風管３，４も受ける支持部１の脚部に設けられている。電極１および送風管３，４と同様、圧胴送風装置の送風ボックス５は、印刷機の版型幅にわたり延在している。
【００２８】
図１に示されているように、圧胴送風装置の送風ボックス５は、対向圧胴ＧＤの表面に向けられた凹面を備え、この凹面に、複数の空気流出開口部が散在するように設けられている。この送風ボックス５の内部空間に圧搾空気を付与することによって、矢印で示される空気流が生じることになる。この空気流（吹付け空気の噴射）により、本明細書で述べる装置を通過するように移送される枚葉紙が、対向圧胴ＧＤの表面上で平坦に均され、この表面に向けて押される。
【００２９】
図２による装置の場合、二つの送風管３，４（図１ないし図５）は、プラスチックから製造された空洞体部６によって形成され、この空洞体部が溝状の部分に電極２を収納している。この空洞体部６（内部空間）に圧搾空気を付与することで、対向圧胴ＧＤの表面に臨ませるようにして該空洞体部６内に設けられた空気流出開口部を介し、枚葉紙を押し付けるための矢印で示されるような空気流が得られる。本発明の本実施形態の場合、電極２は、空洞体部６を介して、横材として形成された支持部１に装着されている。送風ボックス５は、図１に示されるように形成されており、電極２に対して枚葉紙走行方向上流側に設けられている。
【００３０】
図３による本発明の実施形態は、空洞部として一体に形成された送風ボックス７を示しており、この送風ボックスは、支持部１（横材）に装着されている。この空洞部は、対向圧胴ＧＤに臨ませられた端部における溝状の部分の中に、ロッドとして形成された電極２を収納している。図１及び図２による実施形態において、この空洞部７は、電極２に対して枚葉紙走行方向上流側に設けられた部分に凹面を備え、この凹面に複数の空気流出開口部がちりばめられるようにして設けられている。電極２の枚葉紙走行方向上流側ないし下流側の部分にも同様に、付加的な空気流出開口部が設けられている。空洞部７に圧搾空気を供給することにより、矢印によって示されるような流れが形成されることになる。
【００３１】
図４による実施形態は、二つの送風管３，４に取り囲まれている電極２からなる構成とされている。電極２及び送風管３，４は、全体が空洞部８内に入り込まされており、このとき、図３による実施形態の場合と同様、この空洞部８は、電極２に対して上流側に設けられた端部の側に、凹形でしかも複数の空気流出開口部が設けられた部分を備えている。空洞部８は、空気流出開口部を有する面を、送風管３，４及び電極２の下流側に設けられた状態で同様に備えている。
【図面の簡単な説明】
【図１】電極を有する送風ボックスを示す図であって、電極が二つの送風管に取り囲まれている様子を示す図である。
【図２】後置された電極と、該電極を収納して圧搾空気を供給できる空洞部としての本体とを有する送風ボックスを示す図である。
【図３】図１及び図２の構成を一体にして形成した空洞体部を示す図である。
【図４】電極ならびに二つの送風管を収納する送風ボックスとしての空洞体部を示す図である。
【図５】電極と二つの送風管とを有する本発明の簡易な一実施形態を示す図である。
【符号の説明】
１・・・支持部（横材）
２・・・電極（ロッド）
３，４・・・送風管
５・・・送風ボックス（空洞部）
６，７，８・・・空洞部
【国際公開パンフレット】
2004504192.tif 000003
2004504192.tif 000004
2004504192.tif 000005
2004504192.tif 000006
2004504192.tif 000007
2004504192.tif 000008
2004504192.tif 000009
2004504192.tif 000010
2004504192.tif 000011
2004504192.tif 000012
2004504192.tif 000013
2004504192.tif 000014
2004504192.tif 000015
2004504192.tif 000016
2004504192.tif 000017
2004504192.tif 000018
2004504192.tif 000019
2004504192.tif 000020
2004504192.tif 000021
2004504192.tif 000022
【国際調査報告】
2004504192.tif 000023
2004504192.tif 000024
2004504192.tif 000025
2004504192.tif 000026